(57)【要約】【課題】複数のディスプレイモジュールを用いて建物における効果的な広告表示を行うこと。【解決手段】複数のディスプレイモジュール（ＤＵ）からなる表示システム１であって、複数のディスプレイモジュールに対し複数のケーブルを介して画像信号を送信する画像処理装置を有し、複数のディスプレイモジュールは、それぞれ、建物の室内において表示面がガラス窓５１に面するようにかつ表示面に画像を表示したときにその画像が当該ガラス窓５１の外部から見えるように配置されており、画像処理装置は、複数のディスプレイモジュールに対して、それぞれが配置された場所に応じて、互いに関連する画像を表示するための画像信号を送信することが可能である。【選択図】図３
2017072819.tif 000002
【特許請求の範囲】
【請求項１】
複数のディスプレイモジュールからなる表示システムであって、
前記複数のディスプレイモジュールに対し複数のケーブルを介して画像信号を送信する画像処理装置を有し、
前記複数のディスプレイモジュールは、それぞれ、建物の室内において表示面がガラス窓に面するようにかつ表示面に画像を表示したときにその画像が当該ガラス窓の外部から見えるように配置されており、
前記画像処理装置は、前記複数のディスプレイモジュールに対して、それぞれが配置された場所に応じて、互いに関連する画像を表示するための画像信号を送信することが可能である、
ことを特徴とする表示システム。
【請求項２】
前記画像処理装置は、各ディスプレイモジュールが、当該建物の前記壁面を１つの画面とした場合における各ディスプレイモジュールの配置された位置に対応した部分の画像を表示するよう、前記画像信号を送信する、
請求項１記載の表示システム。
【請求項３】
前記複数のディスプレイモジュールの１つである第１のディスプレイモジュールは、建物の角部に近い位置にある第１のガラス窓に配置され、他の１つである第２のディスプレイモジュールは、前記第１のガラス窓が設けられた壁面と直角をなす壁面において当該角部に近い第２のガラス窓に配置され、
前記画像処理装置は、前記第１のディスプレイモジュールと前記第２のディスプレイモジュールとに対して、同じ対象物について互いに直角方向から見た画像を表示するための画像信号を送信することが可能である、
請求項１または２記載の表示システム。
【請求項４】
前記複数のディスプレイモジュールには、ＬＥＤなどの高輝度な表示デバイスが用いられている、
請求項１ないし３のいずれかに記載の表示システム。
【請求項５】
ディスプレイモジュールからなる表示システムを備えた建物であって、
当該建物は、壁面に複数のガラス窓が設けられており、
前記ディスプレイモジュールは、当該建物の室内において、その複数個がそれぞれの表示面が互いに異なる位置の前記ガラス窓に面するようにかつ表示面に画像を表示したときにその画像が当該ガラス窓の外部から見えるように配置されており、画像処理装置から送信される画像信号によって、それぞれが配置された場所に応じて、互いに関連する画像を表示することが可能となっている、
ことを特徴とする表示システムを備えた建物。
【請求項６】
前記ガラス窓には、その室内の側にハーフミラーが配置されまたは当該ガラス窓がハーフミラーとして構成されている、
請求項５記載の表示システムを備えた建物。
【請求項７】
前記複数のガラス窓のうちの前記ディスプレイモジュールが配置された前記ガラス窓に隣接するガラス窓には、その室内の側にハーフミラーが配置され、または当該ガラス窓がハーフミラーとして構成されている、
請求項５記載の表示システムを備えた建物。
【請求項８】
前記ハーフミラーの光透過率は、０．１〜０．８の範囲である、
請求項６または７記載の表示システムを備えた建物。
【請求項９】
前記複数のガラス窓のうちの前記ディスプレイモジュールが配置された前記ガラス窓には、反射防止加工が施されている、
請求項５ないし８のいずれかに記載の表示システムを備えた建物。
【請求項１０】
前記画像処理装置は、前記ディスプレイモジュールが、当該建物の前記壁面を１つの画面とした場合における各ディスプレイモジュールの配置された位置に対応した部分の画像を表示するよう、前記画像信号を送信する、
請求項５ないし９のいずれかに記載の表示システムを備えた建物。
【請求項１１】
前記複数のディスプレイモジュールの１つである第１のディスプレイモジュールは、当該建物の角部に近い位置にある第１のガラス窓に配置され、他の１つである第２のディスプレイモジュールは、前記第１のガラス窓が設けられた壁面と直角をなす壁面において当該角部に近い第２のガラス窓に配置され、
前記第１のディスプレイモジュールと前記第２のディスプレイモジュールとは、前記画像処理装置から送信される画像信号によって、同じ対象物について互いに直角方向から見た画像を表示することが可能である、
請求項５ないし１０のいずれかに記載の表示システムを備えた建物。
【請求項１２】
ディスプレイモジュールからなる表示システムを備えた建物であって、
当該建物は、壁面に複数のガラス窓が設けられており、
前記ディスプレイモジュールは、当該建物の室内において、ぞの表示面が前記ガラス窓に面するようにかつ表示面に画像を表示したときにその画像が当該ガラス窓の外部から見えるように配置されており、
前記複数のガラス窓のうちの前記ディスプレイモジュールが配置された前記ガラス窓に隣接するガラス窓には、その室内の側にハーフミラーが配置され、または当該ガラス窓がハーフミラーとして構成されている、
ことを特徴とする表示システムを備えた建物。
【発明の詳細な説明】
【技術分野】
【０００１】
本発明は、複数のディスプレイモジュールからなる表示システムおよび表示システムを備えた建物に関する。
【背景技術】
【０００２】
従来より、複数のディスプレイモジュールからなる表示システムが提案されている。
【０００３】
特許文献１には、複数の表示パネルを備えたディスプレイ管理システムが開示されている。これによれば、ホストコンピュータは、管理サーバから受信した表示制御情報に基づいて、表示パネルに画像を表示する。表示パネルは複数のパネルユニットから構成され、その１つがマスタパネルユニットとされる。マスタパネルユニットは、ホストコンピュータから画像データをＩＤとともに受信すると、そのＩＤに応じたパネルユニットに画像データを送ることにより、表示パネルでの画像の表示が行われる。
【０００４】
また、特許文献２には、流通本社の管理部で作成された店頭情報を、ネットワークを介してチェーン店の売場における特定の端末機器の薄型ディスプレイに表示させるようにした店頭情報配信システムが開示されている。
【０００５】
また、特許文献３には、建物の窓などに設けられるブラインド型の羽根に複数のＬＥＤを設けてバー型の発光モジュールとし、発光モジュールを連続的に構成して画像や映像を表示する表示装置が提案されている。
【先行技術文献】
【特許文献】
【０００６】
【特許文献１】特開２００９−１７５２９４号公報
【特許文献２】特開２０００−０２０６０６号公報
【特許文献３】特開２００６−１８４５６１号公報
【発明の概要】
【発明が解決しようとする課題】
【０００７】
上に述べた従来の技術においては、複数のディスプレイモジュールを用いて建物における効果的な広告表示を行うことについての開示はない。
【０００８】
つまり、特許文献１の表示パネルでは、各パネルユニットは例えば縦３列×横３列などのように連結して構成され、全体が一体となって１つの表示パネルが構成される。また、複数の表示パネルは各店舗において配置されるものであり、建物においてどのように配置されるかについての開示はない。
【０００９】
特許文献２の店頭情報配信システムでは、各売場に配置された薄型ディスプレイに必要な情報が表示されるが、建物における効果的な広告表示を行うものではない。
【００１０】
特許文献３では、窓への配置に適した表示装置が開示され、これによって窓を利用して広告を行うことが示されているが、それだけに留まり、建物における効果的な広告表示を行うものではない。
【００１１】
本発明は、複数のディスプレイモジュールを用いて建物における効果的な広告表示を行うことを目的とする。
【課題を解決するための手段】
【００１２】
本発明の一実施形態に係る表示システムは、複数のディスプレイモジュールからなる表示システムであって、前記複数のディスプレイモジュールに対し複数のケーブルを介して画像信号を送信する画像処理装置を有し、前記複数のディスプレイモジュールは、それぞれ、建物の室内において表示面がガラス窓に面するようにかつ表示面に画像を表示したときにその画像が当該ガラス窓の外部から見えるように配置されており、前記画像処理装置は、前記複数のディスプレイモジュールに対して、それぞれが配置された場所に応じて、互いに関連する画像を表示するための画像信号を送信することが可能である。
【００１３】
また、好ましくは、前記画像処理装置は、各ディスプレイモジュールが、当該建物の前記壁面を１つの画面とした場合における各ディスプレイモジュールの配置された位置に対応した部分の画像を表示するよう、前記画像信号を送信する。
【００１４】
好ましくは、前記複数のディスプレイモジュールの１つである第１のディスプレイモジュールは、建物の角部に近い位置にある第１のガラス窓に配置され、他の１つである第２のディスプレイモジュールは、前記第１のガラス窓が設けられた壁面と直角をなす壁面において当該角部に近い第２のガラス窓に配置され、前記画像処理装置は、前記第１のディスプレイモジュールと前記第２のディスプレイモジュールとに対して、同じ対象物について互いに直角方向から見た画像を表示するための画像信号を送信することが可能である。
【００１５】
本発明の一実施形態に係る建物は、ディスプレイモジュールからなる表示システムを備えた建物であって、当該建物は、壁面に複数のガラス窓が設けられており、前記ディスプレイモジュールは、当該建物の室内において、その複数個がそれぞれの表示面が互いに異なる位置の前記ガラス窓に面するようにかつ表示面に画像を表示したときにその画像が当該ガラス窓の外部から見えるように配置されており、画像処理装置から送信される画像信号によって、それぞれが配置された場所に応じて、互いに関連する画像を表示することが可能となっている。
【００１６】
また、好ましくは、前記ガラス窓には、その室内の側にハーフミラーが配置されまたは当該ガラス窓がハーフミラーとして構成されている。
【００１７】
好ましくは、前記複数のガラス窓のうちの前記ディスプレイモジュールが配置された前記ガラス窓に隣接するガラス窓には、その室内の側にハーフミラーが配置され、または当該ガラス窓がハーフミラーとして構成されている。
【００１８】
好ましくは、前記ハーフミラーの光透過率は、０．１〜０．８の範囲である。
【００１９】
好ましくは、前記複数のガラス窓のうちの前記ディスプレイモジュールが配置された前記ガラス窓には、反射防止加工が施されている。
【発明の効果】
【００２０】
本発明によると、複数のディスプレイモジュールを用いて建物における効果的な広告表示を行うことができる。
【図面の簡単な説明】
【００２１】
【図１】本発明の一実施形態の表示システムを示す図である。
【図２】表示システムの構成の例を示す図である。
【図３】建物におけるディスプレイユニットの配置と広告表示の例を示す図である。
【図４】建物の壁面におけるディスプレイユニットの配置の他の例を示す図である。
【図５】壁面における仮想映像の例を示す図である。
【図６】壁面におけるディスプレイユニットによる実映像の例を示す図である。
【図７】建物におけるディスプレイユニットの配置と広告表示の他の例を示す図である。
【図８】建物の室内におけるディスプレイユニットの配置の例を示す図である。
【発明を実施するための形態】
【００２２】
図１には本発明の一実施形態の表示システム１が、図２には表示システム１Ｂの構成の例が、図３には建物５０におけるディスプレイユニットＤＵの配置と広告表示の例が、それぞれ示されている。
【００２３】
図１において、表示システム１は、画像処理装置１１および複数のディスプレイモジュール１２（１２ａ，１２ｂ，１２ｃ…）からなる。
【００２４】
画像処理装置１１は、複数のディスプレイモジュール１２に対し複数のケーブル１３（１３ａ，１３ｂ…）を介して画像信号Ｓ１を送信する。画像処理装置１１として、例えばパーソナルコンピュータなどが用いられる。
【００２５】
複数のディスプレイモジュール１２は、それぞれ、多数の発光ダイオード（ＬＥＤ）をマトリクス状に配置することによって画像や映像を表示するものである。発光ダイオードとして、Ｒ，Ｇ，Ｂの各色を発光するチップを備えた３色発光ダイオードを用いることにより、フルカラーの画像を表示することが可能である。また、Ｒ，Ｇ，Ｂの３色の発光ダイオードを１組として配置することによっても、フルカラーの画像を表示することが可能である。
【００２６】
各ディスプレイモジュール１２は、例えば、１２８×１２８ドット、２５６×２５６ドットなどのドット構成（画素構成）とすることができる。各ディスプレイモジュール１２の表示面２１の寸法は、例えば、６４０×６４０ｍｍ、７７０×７７０ｍｍなどとすることができる。
【００２７】
このようなディスプレイモジュール１２は、その２個を縦方向または横方向に並べて配置したり、４個を縦横に並べて配置したり、１０個を２列に並べて配置したり、種々の個数を用いて種々の配列または配置とすることができる。
【００２８】
このように、１個または複数個のディスプレイモジュール１２からなる１組のディスプレイモジュール１２を、「ディスプレイユニット」ということがある。図１に示す表示システム１では、２個づつのディスプレイモジュール１２ａと１２ｂ、１２ｃと１２ｄ、１２ｅと１２ｆ…が、それぞれ１個のディスプレイユニットＤＵを構成している。
【００２９】
図２に示す表示システム１Ｂでは、２個のディスプレイモジュール１２を縦方向に並べて配置したものを横方向に５個並べて配置し、結局、１０個を２列に並べて配置したものである。これら１０個のディスプレイモジュール１２は、一体となるようにフレームスタンド３１に取り付けられ、１個のディスプレイユニットＤＵ１を構成している。
【００３０】
この例では、ディスプレイユニットＤＵ１は、例えば６４０×２５６ドットのドット構成とすることができ、かなり高精細に画像を表示することができる。発光ダイオードを使用することにより、電力効率が高く、高輝度、低発熱であり、騒音を発生することがないという利点を有する。高輝度であることにより、外部が明るい環境においても画像が鮮明に見える。発光ダイオードに代えて、ＦＥＤ（Field Emission Display）、その他の表示デバイスを用いてもよい。
【００３１】
また、各ディスプレイモジュール１２は、建物の室内において表示面２１がガラス窓に面するようにかつ当該表示面２１が当該ガラス窓の外部から見えるように配置される。この場合に、ガラス窓は、ショーウインドウのような特殊なガラス窓ではなく、事務所などにおける既設の通常の窓に取り付けられるガラス窓であってよい。
【００３２】
画像処理装置１１は、複数のディスプレイモジュール１２に対して、それぞれが配置された場所に応じて、互いに関連する画像を表示するための画像信号Ｓ１を送信することが可能である。そのような画像信号Ｓ１によって、複数の窓を連携させて互いに関連のある画像を表示することが可能である。
【００３３】
図３に示された建物５０は、図１に示したような表示システム１を備えている。表示システム１は、１個または複数のディスプレイモジュール１２からなるディスプレイユニットＤＵを備えており、これらは建物５０の室内においてガラスの窓５１の外部から見えるように配置されている。
【００３４】
つまり、建物５０の２階の正面側の窓５１ａに、ディスプレイユニットＤＵ２ａが、側面側の窓５１ｂに、ディスプレイユニットＤＵ２ｂが配置され、それぞれ画像が表示されている。
【００３５】
また、建物５０の４階の正面側の窓５１ａに、ディスプレイユニットＤＵ４ａが、側面側の窓５１ｂに、ディスプレイユニットＤＵ４ｂが配置され、それぞれ画像が表示されている。
【００３６】
また、建物５０の６階と７階の正面側の窓５１ａに、ディスプレイユニットＤＵ６ａ，７ａが配置され、それぞれ画像が表示されている。
【００３７】
建物５０の２階において、建物５０の角部に近い位置である正面側の左端の窓５１ａ１に配置されたディスプレイユニットＤＵ２ａ１と、窓５１ａ１が設けられた壁面５０ａと直角をなす壁面５０ｂにおいて当該角部に近い位置である側面側の右端の窓５１ｂ１に配置されたディスプレイユニットＤＵ２ｂ１とには、同じ対象物について互いに直角方向から見た画像が表示されている。つまり、ディスプレイユニットＤＵ２ａ１には人物を正面から写した画像が、ディスプレイユニットＤＵ２ｂ１には同じ人物を左側面から写した画像が、それぞれ表示されている。
【００３８】
したがって、例えば通行人が、建物５０の正面側から見た場合と側面側から見た場合とで同じ人物についての異なる側面を見ることができ、また両方を同時に見た場合にはそれぞれの角度から画像を見ることができ、建物５０における効果的な広告表示を行うことができる。このように、９０°の角度を持った２つの画像を表示し、通行人が両方の画像を同時に見ることにより、まるで立体物を見るような立体感のある視覚的効果を得ることができる。
【００３９】
ここで、ディスプレイユニットＤＵ２ａ１、ＤＵ２ｂ１は、それぞれ第１のディスプレイモジュールと第２のディスプレイモジュールの例である。窓５１ａ１，５１ｂ１は、それぞれ第１のガラス窓と第２のガラス窓の例である。
【００４０】
このように、ディスプレイユニットＤＵ２ａ１とＤＵ２ｂ１とは、それぞれが配置された場所に応じて互いに関連する画像を表示している。４階の角部の窓５１ａ，ｂに配置されたディスプレイユニットＤＵ４ａ１とＤＵ４ｂ１とについても同様である。
【００４１】
また、建物５０の２階の正面側の窓５１ａに配置された８個のディスプレイユニットＤＵ２ａは、外部からは人物の画像と「ＢｅａｕｔｙＳａｌｏｎ」の文字とが見えるように、それぞれが配置された場所に応じて互いに関連する画像を表示している。
【００４２】
同様に、建物５０の４階の正面側の窓５１ａに配置された８個のディスプレイユニットＤＵ４ａは、外部からは食べ物や飲み物の画像と「Ｒｅｓｔａｕｒａｎｔ」の文字とが見えるように、それぞれが配置された場所に応じて互いに関連する画像を表示している。
【００４３】
また、建物５０の６階と７階の正面側の窓５１ａに配置された２個のディスプレイユニットＤＵ６ａ，７ａは、外部からは一人の人物の立像が見えるように、それぞれが配置された場所に応じて互いに関連する画像を表示している。
【００４４】
また、次に説明する図４〜６のように、移動する画像つまり映像について、それぞれが配置された場所に応じて互いに関連する画像（映像）を表示することが可能である。
【００４５】
図４には建物５０の壁面５０ａにおけるディスプレイユニットＤＵの配置の他の例が、図５には壁面５０ａにおける仮想映像ＢＫ１の例が、図６には壁面５０ａにおけるディスプレイユニッＤＵトによる実映像ＢＲ１の例が、それぞれ示されている。
【００４６】
図４において、建物５０は、多数のディスプレイユニットＤＵを含む表示システム１を備えている。ディスプレイユニットＤＵは、窓５１の大きさに応じて、１個または複数個のディスプレイモジュール１２からなる。また、ディスプレイユニットＤＵの寸法、ドット数などは種々のものとすることができる。
【００４７】
図４に示す建物５０の壁面５０ａにおいて、横５×縦６の３０個の窓５１が示されている。３０個の窓５１のうち、その中央の２個と４隅の２×４＝８個との合計１０個のディスプレイユニットＤＵ１１〜２０が示されている。これら以外の２０個の窓５１にはディスプレイユニットＤＵは配置されていない。または配置されていても映像または画像は表示されない。
【００４８】
図５において、（Ａ）（Ｂ）（Ｃ）の順に示すように、壁面５０ａにおいて複数の風船が時間の経過とともに下から上へ移動する仮想映像ＢＫ１ａ，ｂ，ｃが示されている。このような仮想映像ＢＫ１がディスプレイユニットＤＵ１１〜２０によって表現される。
【００４９】
すなわち、各ディスプレイユニットＤＵ１１〜２０には、建物５０の壁面５０ａを１つの画面とした場合における各ディスプレイユニットＤＵ１１〜２０の配置された位置に対応した部分の画像を表示するよう、画像処理装置１１から画像信号を受信する。
【００５０】
その結果、図６（Ａ）（Ｂ）（Ｃ）に示すように、ディスプレイユニットＤＵ１１〜２０には、仮想映像ＢＫ１ａ，ｂ，ｃの部分の画像にそれぞれ対応した実映像ＢＲ１ａ，ｂ，ｃが表示される。
【００５１】
実映像ＢＲ１ａ，ｂ，ｃは、仮想映像ＢＫ１ａ，ｂ，ｃの一部分ではあるが、画像が移動するので、実映像ＢＲ１を見た通行人は、全体として仮想映像ＢＫ１を見ているように感じる。このように、少ないディスプレイユニットＤＵを用いて仮想映像ＢＫ１を表現することが可能である。
【００５２】
なお、壁面５０ａにおけるディスプレイユニットＤＵの配置および個数は、図６に示す例から変更することができる。例えば、ディスプレイユニットＤＵ同士の間が空かないよう、つまりディスプレイユニットＤＵが上下左右方向または斜め方向に連続するように配置すると、実映像ＢＲ１がより仮想映像ＢＫ１に近くなる。また、壁面５０ａにおいてディスプレイユニットＤＵが市松模様を形成するように配置してもよい。
【００５３】
なお、ディスプレイユニットＤＵが配置されていない窓５１においては、夜間ではその室内の照明を消しておくのがよく、また、昼間ではカ−テンやブランドを閉めておくのがよい。また後述のように、ハーフミラーＨＭを用い室内の明かりを見えにくくしておいてもよい。また、それぞれの窓５１にハーフミラーＨＭを用いてもよい。
【００５４】
ハーフミラーＨＭを用いる場合に、窓５１の室内の側の近傍にハーフミラーＨＭを配置してもよく、または窓５１それ自体がハーフミラーＨＭとなるように構成してもよい。ハーフミラーＨＭの光透過率は、例えば０．１〜０．８の範囲、または０．１〜０．４の範囲などとすることが可能である。
【００５５】
このように、ハーフミラーＨＭを用いることにより、ディスプレイユニットＤＵによる表示をより一層効果的に行うことが可能である。
【００５６】
すなわち、例えば、建物５０の外部から窓５１を見た場合に、昼間のように外部が明るいときには、ハーフミラーＨＭによって外部の光が反射し、そのため比較的暗い室内の状態はほとんど見えない。しかし、ディスプレイユニットＤＵを配置した窓５１については、ディスプレイユニットＤＵが表示を行っている場合には表示光によって画像または映像が見える。そのため、ディスプレイユニットＤＵによる表示が一層鮮明となる。
【００５７】
また、例えば、ハーフミラーＨＭを用いることにより、外部の光量が多い場合はディスプレイユニットＤＵの画像が見えにくくなり、外部の光量が少ない場合はディスプレイユニットＤＵの画像が目立って見えるので、時間帯などによる見え方の変化によって広告効果が高くなる。
【００５８】
図７には、建物５０におけるディスプレイユニットＤＵの配置と広告表示の他の例が、図８には、建物５０の室内におけるディスプレイユニットＤＵの配置の例が、それぞれ示されている。
【００５９】
図７および図８に示すように、複数の窓５１のうち、ディスプレイユニットＤＵが配置された窓５１Ｄに隣接する窓５１Ｒには、その室内の側にハーフミラーＨＭを用いて構成されたハーフミラーユニットＨＭＵが配置され、または当該窓５１ＲがハーフミラーＨＭとして構成される。
【００６０】
図８において、ハーフミラーユニットＨＭＵは、ローラ６１にシート状のハーフミラーＨＭが巻き付けられて構成されたローラミラーであり、ハーフミラーＨＭを下方へ引き下げることによって窓５１Ｒを遮蔽する。ハーフミラーＨＭを上方へ引き上げるとによって、窓５１ＲはハーフミラーＨＭから解放される。
【００６１】
このように、ディスプレイユニットＤＵが配置された窓５１Ｄの周囲を取り囲む窓５１ＲにハーフミラーＨＭを用いることによって、ディスプレイユニットＤＵにより表示される画像または映像が鮮明に見える。したがって、建物５０の全体が、またはその一部が、広告塔のような機能を発揮することとなる。
【００６２】
例えば、窓５１Ｒに設けられたハーフミラーＨＭを下方へ引き下げておくと、昼間ではハーフミラーＨＭにより外部の周辺の景色が写り、室内の光はほとんど見えることなく、窓５１Ｄに設けられたディスプレイユニットＤＵに表示された画像または映像がよく見えるので、通行人から注目される。また、夜間においても、ハーフミラーＨＭによって室内の光が外部から余り見えることがなく、ディスプレイユニットＤＵの画像または映像が通行人から注目される。
【００６３】
また、窓５１ＤにもハーフミラーＨＭを設けた場合には、昼間は全部の窓５１Ｒ，Ｄにおいて外部の周辺の景色が写るが、夕方になってくるとディスプレイユニットＤＵによる画像または映像が外部から見えてきて、やがてこれが通行人から注目される。このように、時間の経過とともに窓５１Ｒ，ＤまたはディスプレイユニットＤＵの画像または映像の見え方が変化していくので、通行人から注目されることとなる。
【００６４】
上に述べた実施形態において、ハーフミラーＨＭでは室内の光の遮断効果が十分でない場合には、ハーフミラーＨＭに代えて、トータルミラーつまり全反射のミラー、または遮光シートを用いたロ−ルスクリーンを用いてもよい。
【００６５】
上に述べた実施形態において、ディスプレイユニットＤＵの画像または映像が窓５１の表面で室内側に反射するのを防止するために、窓５１の表面に反射防止加工を施しておいてもよい。反射防止加工としては、例えば、窓５１の片面または両面に反射防止フィルムを張り付けたり、反射防止剤をコーティングするなどして反射防止膜を形成するなどの方法がある。これによって、ディスプレイユニットＤＵからの光が窓５１によって反射するのが低減して透過率が向上し、画像または映像がより鮮明に見える。また、画像または映像が二重に見えることが防止され、コントラストが向上する。
【００６６】
特に、ディスプレイユニットＤＵが配置されていない窓５１にハーフミラーＨＭを用い、ディスプレイユニットＤＵが配置されている窓５１に反射防止加工を施しておくことによって、画像が一層鮮明に見え、広告効果が高い。
【００６７】
上に述べた実施形態において、画像処理装置１１、ディスプレイモジュール１２、ディスプレイユニットＤＵ、ハーフミラーＨＭ、ハーフミラーユニットＨＭＵ、表示システム１，１Ｂ、窓５１、壁面５０ａ、または建物５０の構成、構造、形状、寸法、材質、ディスプレイユニットＤＵに表示する画像または映像の内容などは、本発明の趣旨に応じて種々変更することができる。
【００６８】
上に述べた種々の実施形態において、それぞれの形態を互いに組み合わせてもよい。
【符号の説明】
【００６９】
１，１Ｂ  表示システム
１１  画像処理装置
１２  ディスプレイモジュール
１３  ケーブル
２１  表示面
５０  建物
５０ａ，５０ｂ  壁面
５１，５１ａ，５１ｂ  窓（ガラス窓）
５１ａ１  窓（第１のガラス窓）
５１ｂ１  窓（第２のガラス窓）
５１Ｒ，５１Ｄ  窓（ガラス窓）
ＤＵ，ＤＵ１  ディスプレイユニット（ディスプレイモジュール）
ＤＵ２，ＤＵ４，ＤＵ６，ＤＵ７  ディスプレイユニット（ディスプレイモジュール）
ＤＵ２ａ１  ディスプレイユニット（第１のディスプレイモジュール）
ＤＵ２ｂ１  ディスプレイユニット（第２のディスプレイモジュール）
ＤＵ１１〜２０  ディスプレイユニット（ディスプレイモジュール）
ＨＭ  ハーフミラー
Ｓ１  画像信号
【図１】
2017072819.tif 000003
【図２】
2017072819.tif 000004
【図３】
2017072819.tif 000005
【図４】
2017072819.tif 000006
【図５】
2017072819.tif 000007
【図６】
2017072819.tif 000008
【図７】
2017072819.tif 000009
【図８】
2017072819.tif 000010